(57)【要約】【課題】ハンドルに対して３６０°回転可能かつ着脱可能なブレードアセンブリを有し、ブレードアセンブリおよびハンドルの間で安定し、かつ均衡がとれた取付けを提供し、また動作中に使用者が経験する振動を低減するヘアトリマーを提供する。【解決手段】ヘアトリマーは、ハウジング（１４）に対して回転可能な起動アセンブリ（２４）を含むそのハウジング（１４）を含むハンドルと、往復動ブレード（２２）、静止ブレード（１８ａ）およびブレードアセンブリハウジング（２０）を含むブレードアセンブリ（１６、１６ａ）とを含み、そのブレードアセンブリは、起動アセンブリの回転平面（Ｐ）にてその起動アセンブリと着脱可能に係合されるように構成かつ配置されている。【選択図】図１
2008183400.tif 000002
【特許請求の範囲】
【請求項１】
ハウジング（１４）に対して回転可能な起動アセンブリ（２４）を含む前記ハウジングを有するハンドル（１２）と、
往復動ブレード（２２）、静止ブレード（１８ａ）およびブレードアセンブリハウジング（２０）を含むブレードアセンブリ（１６、１６ａ）であって、前記起動アセンブリの回転平面（Ｐ）にて前記起動アセンブリと着脱可能に係合されるように構成かつ配置されるブレードアセンブリ（１６、１６ａ）と、
を備えるヘアトリマー。
【請求項２】
前記ハンドル（１２）が、前記ブレードアセンブリ（１６、１６ａ）を前記起動アセンブリ（２４）に取り外し可能に固定するように構成された少なくとも１個のバネクリップ（２６）を含む、請求項１に記載のヘアトリマー。
【請求項３】
偏心駆動部材（６２）を備えた駆動モータ（６０）をさらに含み、前記ブレードアセンブリハウジング（２０）が、前記駆動部材と係合するように構成された連結機構（６４）と、前記起動アセンブリ（２４）上のケーシング（３２）を取り囲むように構成されたフレーム（３０）とを含む、請求項１に記載のヘアトリマー。
【請求項４】
前記起動アセンブリ（２４）が、ソケット板（４４）と、前記起動アセンブリの回転の際に前記ソケット板内のソケット（４６）と係合するように設けられた少なくとも１つの戻り止めアセンブリ（４２）を収容するように構成かつ配置されたケーシング（３２）と、前記ソケット板（４４）および前記ケーシング（３２）の間に位置付けられたバネ環（２８）とを含む、請求項１に記載のヘアトリマー。
【請求項５】
前記ケーシング（３２）が、前記少なくとも１つの戻り止めアセンブリ（４２）の内対応する１つを受けるように構成かつ配置されている開口端を有する少なくとも１つのバレル（４８）を含む、請求項４に記載のヘアトリマー。
【請求項６】
前記各戻り止めアセンブリ（４２）が、ピン（５０）と、前記ピンを前記バレル（４８）の開口端に向けて付勢させるように構成かつ配置されているバネ（５２）とを含む、請求項５に記載のヘアトリマー。
【請求項７】
モータ（６０）、およびハウジング（１４）に対して回転可能であり、固定されたソケットプレート（４４）と係合する互いに等間隔を空けて設けられた少なくとも２個の戻り止めアセンブリ（４２）を備えるケーシング（３２）を有する起動アセンブリ（２４）を含む前記ハウジングを有するハンドル（１２）と、
前記ハンドルハウジングに対して回転可能に前記起動アセンブリ（２４）に取り付けられるように構成され、かつ往復動ブレード（２２）、静止ブレード（１８ａ）およびブレードアセンブリハウジング（２０）を含むブレードアセンブリ（１６、１６ａ）とを備え、
前記ブレードアセンブリ（１６、１６ａ）の前記回転は、前記ブレードアセンブリの前記ケーシングとの係合により示される指定位置により定義されるヘアトリマー。
【請求項８】
前記起動アセンブリ（２４）が、互いに等間隔を空けて設けられた４個の戻り止めアセンブリ（４２）を含む、請求項７に記載のヘアトリマー。
【請求項９】
前記各戻り止めアセンブリ（４２）が、ピン（５０）と、および前記ピンを付勢させ、前記ハウジングに対して前記起動アセンブリ（２４）の回転を可能とするように構成されているバネ（５２）とを含む、請求項７に記載のヘアトリマー。
【請求項１０】
前記ブレードアセンブリ（１６、１６ａ）が、前記起動アセンブリの回転平面（Ｐ）内にて前記起動アセンブリ（２４）と着脱可能かつ回転可能に係合される、請求項７に記載のヘアトリマー。
【請求項１１】
前記ブレードアセンブリハウジング（２０）が、前記ヘアトリマーの操作中に前記静止ブレード（１８ａ）に対して前記往復動ブレード（２２）が往復動できるように、前記モータ（６０）に取り付けられるように構成された連結機構（６４）を含む、請求項７に記載のヘアトリマー。
【請求項１２】
前記ケーシング（３２）が、前記少なくとも２個の戻り止めアセンブリ（４２）と、前記起動アセンブリ（２４）とともに前記ブレードアセンブリをフック・キャッチ構造内にて維持するために前記ソケットプレート（４４）および前記ケーシング（３２）の間に設けられたバネ環（２８）とを収容するための、開口端を有する少なくとも２個のバレル（４８）を有する、請求項７に記載のヘアトリマー。
【請求項１３】
前記ソケット板（４４）が、等間隔を空けて設けられた複数のソケット（４６）を含み、また前記少なくとも２個の戻り止めアセンブリ（４２）が、前記ハウジング（１４）に対する前記起動アセンブリ（２４）の回転の際に前記ソケットと係合するように構成されている、請求項１２に記載のヘアトリマー。
【請求項１４】
起動アセンブリ（２４）およびモータ（６０）を含むハウジング（１４）を有するハンドル（１２）であって、前記起動アセンブリが結合リブ（９２）を含む、前記ハンドルと、
往復動ブレード（２２）、静止ブレード（１８ａ）、および前記結合リブを受けるように構成かつ配置されているスロット（９６）を定義するフレーム部材（９４）を含むブレードアセンブリ（１６、１６ａ）であって、前記起動アセンブリ（２４）と着脱可能かつ回転可能に係合されるように構成かつ配置されている前記ブレードアセンブリ（１６、１６ａ）とを備え、
複数の指定位置の内の１つの位置にて前記起動アセンブリ（２４）から前記ブレードアセンブリ（１６、１６ａ）を取り外す際に、前記ブレードアセンブリが、同一の前記指定位置にて前記起動アセンブリに再度取り付けられるように構成されているヘアトリマー。
【請求項１５】
前記起動アセンブリ（２４）が、少なくとも１個のソケット（４６）を有するソケット板（４４）と、少なくとも１個のタブ（３６）を有するケーシングと、前記少なくとも１個のタブと位置合わせされ、かつ前記ハンドルハウジング（１４）に対する前記起動アセンブリの回転の際に前記少なくとも１個のソケットと係合するために少なくとも１個の戻り止めアセンブリ（４２）を維持するように構成されている開口端を有する少なくとも１個のバレル（４８）とを含む、請求項１４に記載のヘアトリマー。
【請求項１６】
前記ブレードアセンブリハウジング（２０）が、前記ブレードアセンブリ（１６、１６ａ）および前記起動アセンブリ（２４）の取り外しかつ再取り付けを可能とするように前記少なくとも１個のタブ（３６）と対応する少なくとも１個のチャンネル（３４）を含む、請求項１５に記載のヘアトリマー。
【請求項１７】
前記起動アセンブリ（２４）が、上部から見ると円形状であり、また前記少なくとも１個の指定位置が、対応する隣接した指定位置から約９０°離隔して設けられた４個の指定位置を含む、請求項１４に記載のヘアトリマー。
【請求項１８】
前記起動アセンブリ（２４）が、円形状であり、また前記少なくとも１個の指定位置が、対応する隣接した指定位置から約３０°離隔して設けられた１２個の指定位置を含む、請求項１４に記載のヘアトリマー。
【請求項１９】
前記ブレードアセンブリ（１６、１６ａ）が、前記起動アセンブリの回転平面（Ｐ）にて前記起動アセンブリ（２４）と着脱可能かつ回転可能に係合されるように構成されている、請求項１４に記載のヘアトリマー。
【請求項２０】
前記起動アセンブリ（２４）の回転平面（Ｐ）が、前記ハンドル（１２）の長手方向軸に対して約１５〜４５°の角度で配置されている、請求項１に記載のヘアトリマー。
【発明の詳細な説明】
【技術分野】
【０００１】
本発明は、概して、トリマーまたはヘアクリッパ等の電動式ヘアカッティング装置に関する。より詳細には、本発明は、着脱可能かつ回転可能なブレードアセンブリを有する電動式ヘアカッティング装置に関する。
【背景技術】
【０００２】
電動式ヘアトリマーまたはクリッパは、スタイリスト、理髪師、または整髪を行う個人により共通して使用され、典型的には、モータを収容するハウジングを有するハンドルと、そのハンドルと連動するブレードアセンブリとを含む。一般的に、ブレードアセンブリは、モータからの駆動電力受けるために特定の配向でハンドルに固定されている。ブレードアセンブリ内にあるブレードセットは、静止ブレードと、横方向に往復動し、かつその静止ブレードに対して実質的に平行である移動ブレードとを含み、はさみ式カッティング動作を提供するようにしてある。
【０００３】
現在のヘアトリマーを使用する際に生じる１つの問題点は、耳の後ろまたは首筋部分等のカットし難い領域に達するようにトリマーを配向させる点である。このような状況においては、一般的に、そのトリマー全体は、ブレードの配向を変更し、かつそのカットすべき領域に達するように、巧みに操作されなければならない。そのような動きは、ぎこちなく、継続使用後に、しばしば使用者の手首または手に不快感をもたらし、また、ブレードがカッティング領域と完全には摺接していない恐れがあるために、トリマーの精度および／または効率をも低下させる。
【０００４】
この問題を解決するために、電球付回転ヘッドを有するヘアトリマーを開示している、譲受人が同一のＷａｈｌ  ｅｔ  ａｌ．による米国特許第５，９７０，６１６号明細書等のようにハンドルに対して回転可能なヘッドを有するように、ヘアトリマーは開発されてきた。Ｗａｈｌにおいて、カッティング面は、ある角度にてヘアトリマーの主本体に対して回転可能なブレードハウジングから伸張する。接触面は、主本体およびブレードハウジングの間において定義され、かつその主本体の長手方向軸に対して斜角度に配置される。この配置は、特に両手を交互に使用する髭剃りの間には、使用者に付加的快適性を与えるが、主本体の長手方向軸に対するブレードハウジングの角度のため、それでも依然として、トリミングし難い他の領域に効率的に達することは困難である。
【０００５】
この問題点に注目すると、譲受人が同一のＭｅｌｔｏｎによる米国特許第５，５７９，５８１号明細書および第５，６０６，７９９号明細書に見られるように、回転可能かつ枢動可能なブレードアセンブリを備えたヘアトリマーが開発された。Ｍｅｌｔｏｎにおいて、ハンドル部分は、ボール・ソケット結合により着脱可能にブレードアセンブリに結合されており、さらなる道具を必要とせずに容易にそのブレードアセンブリを取り外すことができる。ボール・ソケット結合により、ブレードアセンブリは、ハンドル部分に対して３６０°回転することができるとともに、さまざまな位置で枢動でき、使用者は、達することが困難な領域をカットすることができるようになる。しかしながら、Ｍｅｌｔｏｎは、所望の位置にブレードアセンブリを固定する、またはロックするような構造を提供していない。したがって、ブレードアセンブリが、使用中に回転位置から移動する可能性があるため、トリミングが不正確となる。
【０００６】
さらに、回転可能なブレードアセンブリを備えた現在のヘアトリマーの別の設計基準は、操作振動により生じる不均衡さである。不均衡さの原因の１つは、ブレードアセンブリを所定位置に保持する取付けまたはロックポイントが１つしかない点にある。このような不均衡さは、トリマーのカッティング精度を低下させ、また結果生じる振動により使用者に不快感をもたらす。
【発明の開示】
【発明が解決しようとする課題】
【０００７】
したがって、ハンドルに対して３６０°回転可能かつ着脱可能なブレードアセンブリを有し、また上記に挙げた設計要因にも注目した、改良されたヘアトリマーが必要とされる。さらに、ブレードアセンブリおよびハンドルの間で安定し、かつ均衡がとれた取付けを提供し、また動作中に使用者が経験する振動を低減するように改良されたヘアトリマーが必要とされる。
【課題を解決するための手段】
【０００８】
本ヘアトリマーは、上記必要性を全て満たす、またはそれを超えるものである。詳細には、本ヘアトリマーは、トリマーのハンドルに対して３６０°回転することができるブレードアセンブリを含む。その回転は、解除可能にロックされた指定数の操作位置が利用可能な状態で制御される。
【０００９】
さらに、代替的な実施形態においては、本ヘアトリマーは、ブレードアセンブリを、指定回転可能位置の内の１つの位置にてハンドルから取り外し、かつ同一の指定位置にて再度取付けることができるようにするメモリ機能を有する起動アセンブリを含む。この特徴により、使用者は、ブレードアセンブリを、異なる型のトリミング用に交換することができ、かつ選択したブレードセットの配向を維持する。
【００１０】
また、本ヘアトリマーは、ブレードアセンブリおよびハンドルの間に複数の取付けポイントを提供するため、現在のヘアトリマーよりも安定し、かつ均衡がとれ、操作中に使用者が経験する振動を低減することになる。
【００１１】
より詳細には、本発明は、ハウジングに対して回転可能な起動アセンブリを収容するそのハウジングを有するハンドルと、往復動するブレード、静止ブレードおよびブレードアセンブリハウジングを含むブレードアセンブリとを含むヘアトリマーであって、ブレードアセンブリが起動アセンブリの回転平面で着脱可能にその起動アセンブリと係合するように構成かつ配置されているヘアトリマーを提供する。
【発明を実施するための最良の形態】
【００１２】
図１〜４を参照すると、ここではトリマーまたクリッパとして言及されるヘアカッティング装置は、概して１０と指定され、ハウジング１４を有するハンドル１２を含む。本ヘアトリマー１０の特徴は、ハンドル１２が、多種多様なヘアカッティング用ブレードアセンブリを収容するように構成されている点である。これらのアセンブリは、限定されるわけではないが、髭剃り、一般的なトリミング、特別なトリミング等を含む特定のヘアカッティング作業用に設計されている。第１ブレードアセンブリ１６は、往復動ブレード（図示せず）と、ここではシェーバホイルとして称する静止ブレード１８と、ブレードアセンブリハウジング２０とを含むシェーバである。シェーバの分野において公知であるように、往復動ブレードは、孔が開けられたホイル１８に向かって横方向に移動し、効率的なカッティング動作を得ようとする。
【００１３】
今度は、図１Ａを参照すると、代替のブレードアセンブリが１６ａと指定され、かつトリミング用に設計されている。アセンブリ１６と共有される、または対応する要素は、同一の参照符号で指定されている。当分野において公知であるように、往復動歯状ブレード２２は、静止歯状ブレード１８ａに対して平行移動し、はさみ式カッティング動作を作り出す。
【００１４】
ブレードアセンブリ１６および１６ａの双方は、起動アセンブリ２４と解除可能に係合するように構成かつ配置されているブレードハウジング２０を含む。以下の説明において、アセンブリ１６が参照される際には、アセンブリ１６ａも参照されることになることを理解されたい。本トリマー１０の特徴は、以下においてより詳細に述べるように、起動アセンブリ２４が、ハウジング１４に対して回転可能である点にある。
【００１５】
ブレードアセンブリ１６は、起動アセンブリ２４の回転平面Ｐにて着脱可能かつ回転可能にその起動アセンブリと係合するように構成かつ配置されている。起動アセンブリ２４のその回転平面で回転された場合、ブレードアセンブリ１６は、従来のブレードアセンブリよりも容易にトリミングし難い領域にアクセスでき、かつその作用領域はより見やすくなるため、この配置が、現在のヘアトリマーよりも有利であることは予期されたい。本ブレードアセンブリ１６は、当分野において公知であるように自由自在に回転可能であるよりも、むしろ、指定され、解除可能にロックされた特定の位置へ回転するように指示される。この配置による予期されたいもう１つの利点は、現在のヘアトリマーと比較して、ブレードアセンブリ１６の運動性能を改善するとともに、使用者の手および手首にかかるストレスを低減する点である。
【００１６】
ハウジング２０は、概して、軽量で、耐久性のあるプラスチックから製造されているが、当分野において公知であるような、同様の性質を備え、適していると思われる他の物質を用いてもよい。
【００１７】
次に、図５および６を参照すると、ハンドル１２は、ブレードアセンブリ１６を取り外し可能に起動アセンブリ２４に固定するように構成されている少なくとも１つのバネクリップ２６を含む。好ましくは、バネクリップ２６は、等間隔を空けて設けられ、かつ起動アセンブリ２４内に位置する一般的には円状の円環２８から通常は突出している４個の伸張バネクリップ部材２７を含む。しかしながら、そのバネクリップ２６が、用途に適するように２または３個等と変動する代替数のバネクリップ部材を任意に含むことを認識されたい。他の適していると思われる構成を用いてもよいが、依然、バネクリップ部材２７は、円環２８と一体的に形成されていることが好ましい。好ましくは、そのバネクリップ部材２７は、軽量で、弾性金属から製造されるが、同様の性質を備え、適していると思われる他の物質を用いてもよい。バネクリップ２６およびバネクリップ部材２７は、任意にケーシング３２と一体的に形成されることも認識されたい。
【００１８】
図３〜６において示されるように、一般的に八角形であるフレーム３０は、ブレードハウジング２０内に設けられ、かつブレードアセンブリ１６および起動アセンブリ２４の解除可能な取付けの際に、起動アセンブリ２４上の補足的なケーシング３２を取り囲む。しかしながら、フレーム３０は、用途に応じて、他の形状であってもよい。フレーム３０は、軽量で、耐久性のあるプラスチックから製造されることが好ましいが、同様の性質を備え、適していると思われる他の物質を用いてもよい。フレーム３０は、少なくとも１つの、好ましくは複数の、好ましくは八角形を形成する一般的には線状のセグメントまたはチャンネル３４を定義するが、上述のように、他の適していると思われる形状でもよい点を認識されたい。各チャンネル３４は、ケーシング３２上に設けられた対応するタブ３６と摺動可能に係合するように構成かつ配置されている。バネクリップ部材２７は、径方向外側付勢力を加えるとともに、チャンネル３４内にてタブ３６同士の間にフック・キャッチ構造を作成し、ブレードアセンブリ１６を所定場所に保持する。好ましい実施形態においては、４個のチャンネル３４および４個のタブ３６があり、その結果タブ３６の外面３８は、４個（好ましくは、８個）の位置の内の１つの位置にてチャンネルの内面４０と摺動可能に係合する。ブレードアセンブリ１６および起動アセンブリ２４と、チャンネル３４およびタブ３６の配向は、少なくとも１つの戻り止めアセンブリ４２により決定される。この配置が、現在のトリマーにおいて見出される取付けよりも、ブレードアセンブリ１６およびハンドルハウジング１４の間で比較的安定し、かつ均衡が取れた取付けを提供することは、予期されたい。
【００１９】
図４〜８を参照すると、ハンドル１２上に設けられた起動アセンブリ２４は、上部から見た場合、一般的に円形状であり、また好ましくは、ソケット板４４およびケーシング３２を含み、また少なくとも１個の戻り止めアセンブリ４２を収容するように構成かつ配置されている。図８において最良に見られるように、ソケット板４４は、ハンドル１２に固定されており、また複数のソケット４６を備える。ソケット４６は、環状のソケット板４４に対してその周辺部分に空間を空けて設けられている。ソケット４６は、ソケット板４４の周辺部分に等間隔を空けて設けられ、また、他の適していると思われる構成を用いてもよいが、好ましくは１２個のソケットを含み、各ソケットが、対応する隣接したソケットから３０°離隔して設けられることは予期されたい。好ましくは、バネ環２８は、ソケット板４４およびケーシング３２の間に設けられ、その環が移動するまたは外れることを防ぐようにしてある。ソケット板４４およびケーシング３２は、好ましくは、軽量で、耐久性のあるプラスチックにより製造されるが、他の同様の物質を利用してもよい。
【００２０】
図７を参照すると、ケーシング３２は、好ましくは、対応する戻り止めピン５０および対応するバネ５２を受けるように構成かつ配置されている、開口端を有する少なくとも１つのバレル４８を含み、各戻り止めアセンブリ４２を作成するようにしてある。好ましくはバレル４８は、他の適していると思われる構成を用いてもよいが、一般的には、その断面は円形状であり、また円筒形状を定義する。
【００２１】
図７および８を参照すると、各戻り止めアセンブリ４２は、概して、起動アセンブリ２４の回転平面Ｐに対して横方向に配置されている。少なくとも１つの戻り止めアセンブリ４２は、用途に応じて、他の適していると思われる角度でもよいが、好ましくは、その回転平面に対して垂直に配置されている。依然、回転平面「Ｐ」は、ハンドル１２の長手方向軸「Ｌ」に対して約１５〜４５°の角度にて配置されることが好ましい。バネ５２は、ピン５０をバレル４８の開口端５４に向けて、対応するソケット４６内へ付勢させるように構成かつ配置されている。ピン５０が、ブリアピンであることが予期されたいが、当分野において公知であるように、他の適していると思われる種類のピンを用いてもよい点も認識されたい。好ましくは、少なくとも１つの、より好ましくは、２つ以上の、最も好ましくは４つの戻り止めアセンブリ４２があり、ピン５０同士の間で約９０°で周辺部分にて互いに等間隔を空けて設けられている。
【００２２】
ケーシング３２は、ハンドルハウジング１４内において、そのハウジング内の環状溝５８と係合する、ケーシング上の径方向フランジ５６により回転可能に保持されている。また、ハウジング１４内のケーシング３２の位置は、ソケット板４４を所定場所に固定する（図７）。好ましくは、ソケット板４４上には、互いに約３０°間隔を空けて設けられた１２個のソケット４６、および４個の戻り止めアセンブリ４２があるため、ケーシング３２が、ソケット板に対して回転する際には、ハンドルハウジング１４に対して潜在的に１２個の起動アセンブリ２４の指定位置があることになる。ブレードアセンブリ１６および起動アセンブリ２４、より詳細にはケーシング３２の係合を考慮すると、ハウジング１４に対して、ブレードアセンブリ用に１２個の潜在的な指定位置があることが分かるだろう。
【００２３】
今度は、図３〜６を参照すると、ヘアトリマーハンドル１２は、さらに、偏心駆動部材６２を備えた駆動モータ６０を含み、ブレードアセンブリ１６は、その駆動部材と係合するように構成されている連結機構６４を含む。連結機構６４は、好ましくは、駆動部材６２を受けるように構成されているスロット６６と、そのスロットと対向して位置付けられており、また往復動ブレード２２と係合するように構成かつ配置されている舌部６８とを定義する。当分野において公知であるように、枢動ピン７０は、その連結機構に固定されており、かつブレードハウジング２０内にて凹部７２内の各端部で枢動可能に保持されている。この方法において、モータ６０の回転動は、線状往復動に切り換えられる。当分野において公知であるように、モータ６０は、ハウジング１４上のスイッチボタン７４により起動される（図１）。連結機構６４の構成が、モータ６０およびブレードアセンブリ１６の間で安定し、かつ操作的に確実な接続を提供することを予期されたい。しかしながら、当分野において公知であるように、他の適していると思われる構成を用いてもよい点を認識されたい。ハンドル１２は、さらに、当分野において公知であるように、再充電可能な電池（図示せず）を含み、コード付動作でも同様に予期されたいが、好ましくは、ヘアトリマー１０のコードレス動作を容易にするようにしてある。
【００２４】
操作中に、使用者が、ハンドル１２に対してブレードアセンブリ１６を回転させることを所望した場合、弾性環状グリップ７６が把持される。そのグリップ７６は、ケーシング３２上の放射状唇部７８に固定される。グリップ７６を把持することにより、ケーシング３２は、ブレードアセンブリ１６と同様に、時計回りまたは反時計回りのいずれかの方向に回転可能である。この動作は、付勢ピン５０を、ソケット４６と、ソケット板４４の暫定上面８０と順次に係合させてゆく。各ソケットが係合される際に、聴覚および触覚的感覚がある。一旦ピン５０が、指定されたソケット４６内に入ると、ブレードアセンブリ１６は、所定位置にてロックされるようになり、かつその位置にて操作可能となる。戻り止めアセンブリ４２は、解除可能であるが、なおも確実にソケット板４４内にロックされており、またその戻り止めアセンブリは複数（好ましくは、４個）存在することから、トリマー１０により経験される動作振動が原因で取り替えられることは無いため、本構成が多くの現在のヘアトリマーよりも優れていることは予期されたい。
【００２５】
本起動アセンブリの代替の実施形態が、図９において示されており、また概して９０と指定される。起動アセンブリ２４と共有される共通の要素は、同一の参照符号により指定される。この実施形態において、少なくとも１つの指定位置にてブレードアセンブリ１６を起動アセンブリ９０から取り外す際、ブレードアセンブリは、その同一の少なくとも１つの指定位置にて起動アセンブリを再度取り付けられるように構成されている。
【００２６】
詳細には、起動アセンブリ９０は、結合リブ９２を含み、またフレーム９４は、その結合リブを受けるように構成かつ配置されるスロット９６を定義する。フレーム９４は、フレーム３０に類似しており、かつブレードハウジング２０内に嵌入されるように、また取り外し可能に起動アセンブリ９０に取り付けられるように構成かつ配置されている。フレーム９４および起動アセンブリ９０は、結合リブ９２およびスロット９６が位置を合わせて配置されない限り、互いに結合しないため、起動アセンブリ９０およびフレーム９４の組み合わせは、使用者が起動アセンブリ９０に対して所望の位置までブレードアセンブリ１６を回転させ、ブレードアセンブリを取り外し、その同一の所望の位置にてブレードアセンブリを再度取り付けることを可能とする「メモリ機能」を提供する。故に、そのユニットは、ハンドル１２に対してブレードアセンブリ１６の位置が、ブレードセットを取り外した後に維持されるように「メモリ」を有する。
【００２７】
この点は、自由自在な回転を有し、そのため「メモリ」を有さず、また／またはアセンブリを取り外すために開始位置までブレードアセンブリを回転させて戻すことを使用者に求めるような多くの現在のヘアトリマーとは異なる。このようなヘアトリマーにおいては、使用者は、ブレードアセンブリを再度取り付ける際、ブレードアセンブリを元のまたは以前の段階の所望の位置まで回転させて戻す必要がある。さらに、もし、ブレードアセンブリを再度取り付けた際に、所望の回転位置を再現することができない、または思い出すことができないような場合には、この工程により、整髪工程に加えてさらに時間がかかることになり、またヘアトリマーの精度も低下する。
【００２８】
取り外しおよび再取付けの指定位置は、用途に応じて、ソケット４６の位置とは独立してもよい点を認識されたいが、それらの位置が、そのソケットの位置と対応するように構成されていることを予期されたい。詳細には、ソケット板４４が４個のソケット４６を含む場合には、互いに約９０°離隔して設けられた４個の指定位置がある。さらに、図８において見られるように、少なくとも１個のソケット板４４が１２個のソケット４６を含む場合には、互いに約３０°離隔して設けられた１２個の指定位置がある。１２個の指定位置が最も好ましいが、８個の指定位置等の他の適していると思われる構成を用いてもよいことを認識されたい。その場合、用途に応じて、ソケット４６は、対応する隣接したソケットから約４５°離隔して設けられる。
【００２９】
さらに、起動アセンブリ１６は、ブレードの寸法および形状が異なる多種多様なブレードアセンブリ１６および１６ａを受けるように構成かつ配置されることを予期されたい。したがって、もし、使用者がトリマー１０を操作し、より小さいブレードアセンブリ１６が必要であると判断した場合には（すなわち、首筋をトリミングする場合には）、トリマーを取り替えることなく、現在のブレードアセンブリを所望の交換用ブレードアセンブリと交換することができる。また、上述のように、代替の実施形態にはメモリ性能があるため、元のブレードアセンブリが取り外された位置と同一の場所／位置にて交換用ブレードアセンブリ１６を起動アセンブリ９０に取り付けることができる。
【００３０】
本ヘアトリマーの特定の実施形態についてここに記載してきたが、その記載に対して、本発明の範囲および下記に列挙されるクレームで述べられる範囲から逸脱しない範囲で、変更および修正が加えられてもよいことを当業者により理解されたい。
【図面の簡単な説明】
【００３１】
【図１】本発明によるヘアトリマーの正面斜視図である。
【図１Ａ】図１のブレードアセンブリの代替的な実施形態の上面斜視図である。
【図２】ハンドルに対して回転可能なブレードアセンブリを示す、図１のヘアトリマーの断片側面図である。
【図３】図１のヘアトリマーのブレードセットの底面図である。
【図４】ヘアトリマーの起動アセンブリの上面図である。
【図５】ブレードアセンブリおよびハンドルの間の取付けを示す、図１のヘアトリマーの断片断面側面図である。
【図６】ハンドルから取り外されたブレードアセンブリを示す、図５の分解断片断面側面図である。
【図７】ヘアトリマーの起動アセンブリの断面図である。
【図８】本ヘアトリマーによるヘアトリマーのソケット板と係合する少なくとも１個の戻り止めアセンブリの正面斜視図である。
【図９】ヘアトリマーの起動アセンブリの代替的な実施形態の分解斜視図である。
【図１】
2008183400.tif 000003
【図１Ａ】
2008183400.tif 000004
【図２】
2008183400.tif 000005
【図３】
2008183400.tif 000006
【図４】
2008183400.tif 000007
【図５】
2008183400.tif 000008
【図６】
2008183400.tif 000009
【図７】
2008183400.tif 000010
【図８】
2008183400.tif 000011
【図９】
2008183400.tif 000012
【外国語明細書】
1. Title of Invention
HAIR TRIMMER WITH ROTATABLE DETENTED HEAD
2. Detailed Description of Invention
2008183400.tif 000013
2008183400.tif 000014
2008183400.tif 000015
2008183400.tif 000016
2008183400.tif 000017
2008183400.tif 000018
2008183400.tif 000019
2008183400.tif 000020
2008183400.tif 000021
2008183400.tif 000022
2008183400.tif 000023
2008183400.tif 000024
2008183400.tif 000025
3. Brief Description of Drawings
FIG. 1 is a front perspective view of a hair trimmer according to the present invention; 
FIG. 1A is a top perspective view of an alternate embodiment of the blade assembly of FIG. 1;
FIG. 2 is a fragmentary side view of the hair trimmer of FIG. 1 showing a blade assembly rotatable relative to a handle;
FIG. 3 is bottom view of the bladeset of the hair trimmer of FIG. 1; 
FIG. 4 is a top view of the actuation assembly of the hair trimmer; 
FIG. 5 is a fragmentary cross-sectional side view of the hair trimmer of FIG. 1 showing the attachment between the blade assembly and the handle; 
FIG. 6 is an exploded fragmentary cross-sectional side view of FIG. 5 showing the blade assembly detached from the handle;
FIG. 7 is a cross-sectional view of the actuation assembly of the hair trimmer;
FIG. 8 is a front perspective view of at least one detent assembly engaging a socket plate of the hair trimmer according to the present hair trimmer; and
FIG. 9 is an exploded perspective view of an alternate embodiment of the actuation assembly of the hair trimmer. 
2008183400.tif 000026
2008183400.tif 000027
2008183400.tif 000028
2008183400.tif 000029
2008183400.tif 000030
2008183400.tif 000031
1. Abstract
A hair trimmer includes a handle (12) having a housing (14) including an actuation assembly (24) rotatable relative to the housing, and a blade assembly (16, 16a) including a reciprocating blade (22), a stationary blade (18a) and a blade assembly housing (20), the blade assembly constructed and arranged for being detachably engaged to the actuation assembly in a plane of rotation (P) of the actuation assembly.
2. Representative Drawing: Fig.1
【図１】
2008183400.tif 000032
【図１Ａ】
2008183400.tif 000033
【図２】
2008183400.tif 000034
【図３】
2008183400.tif 000035
【図４】
2008183400.tif 000036
【図５】
2008183400.tif 000037
【図６】
2008183400.tif 000038
【図７】
2008183400.tif 000039
【図８】
2008183400.tif 000040
【図９】
2008183400.tif 000041